(57)【要約】【課題】第２吸込具の上方先端に設けたブラシ体の植毛に付着した塵埃を容易に除去できる電気掃除機用吸込具を提供する。【解決手段】底面に設けた吸込口２３より被掃除面上の塵埃を吸引する第１吸込具１１と、同じく被掃除面上の塵埃を吸引する先端吸気口１６を有すると共に、上方から前記第１吸込具１１に着脱自在に装着され、先端吸気口１６の上方先端に、植毛２１を有したブラシ体１８を配した第２吸込具１０で構成され、第２吸込具１０を第１吸込具１１に装着したときに、ブラシ体１８の根元から先端にかけて吸引風が流れる第二の通路３６を設けたもので、ブラシ体１８に付着している塵埃を掃除中に掃除機本体（図示せず）に吸込み、ブラシ体１８を使用した後に塵埃の除去を収納状態で行うことができ、清潔でお手入れの手間がいらなく、使い勝手の良い電気掃除機用吸込具を提供することができる。【選択図】図４
2013094209.tif 000002
【特許請求の範囲】
【請求項１】
底面に設けた吸込口より被掃除面上の塵埃を吸引する第１吸込具と、同じく被掃除面上の塵埃を吸引する先端吸気口を有すると共に、上方から前記第１吸込具に着脱自在に装着され、前記先端吸気口の上方先端に、植毛を有したブラシ体を配した第２吸込具で構成され、前記第２吸込具を前記第１吸込具に装着したときに、前記ブラシ体の根元から先端にかけて吸引風が流れる第二の通路を設けた電気掃除機用吸込具。
【請求項２】
第１吸込具は、塵埃を掻き上げる植毛を有する回転ブラシを備え、第２吸込具を前記第１吸込具に装着すると、ブラシ体が、前記回転ブラシの植毛に当たるようにした請求項１に記載の電気掃除機用吸込具。
【請求項３】
第２吸込具を第１吸込具に装着するとブラシ体を覆うフタを前記第１吸込具に開閉自在に設け、前記フタの開閉を、前記第２吸込具の前記第１吸込具への装着動作に連動させた請求項１又は２に記載の電気掃除機用吸込具。
【請求項４】
電動送風機を内蔵した掃除機本体と、請求項１〜３のいずれか１項に記載の電気掃除機用吸込具と、前記掃除機本体と前記電気掃除機用吸込具とを連通するホースを備えた電気掃除機。
【発明の詳細な説明】
【技術分野】
【０００１】
本発明は、第１吸込具と、第１吸込具に着脱自在に装着される第２吸込具からなる電気掃除機用吸込具と電気掃除機に関するものである。
【背景技術】
【０００２】
従来のこのような電気掃除機用吸込具として、通常の床面掃除用の第１吸込具と、家具と家具の間などの狭い場所を掃除する時に使用されると共に、第１吸込具に上方から着脱自在に装着される第２吸込具から構成され、第１吸込具の底面には、走行用の回転自在のローラーと、横長で被掃除面から塵埃を吸引するための第１の吸込口が配され、上面には、第２吸込具を収納する第２吸込具収納部が設けられ、第２吸込具の底面には、縦長で塵埃を吸引するための第２の吸込み口が設けられ、第２吸込具の後端に、電気掃除機本体に連通接続された延長管に接続される接続パイプが左右、上下に回動自在に設けられ、第２吸込具を、第１吸込具に装着した時に、第１の吸込口と第２の吸込口が連通するようにしたものがある（例えば、特許文献１参照）。
【０００３】
通常の床面の掃除の時は、延長管に接続された第２吸込具を第１吸込具に装着して、延長管を前後、左右に操作して、第１吸込具を、床面上で移動させながら掃除を行う。
【０００４】
そして、家具と家具の間の狭い所を掃除する時は、第１吸込具に設けた操作レバーを踏み込んで、第１吸込具と第２吸込具との係止を解除し、第２吸込具を延長管に接続したまま、第１吸込具から外して、直ちに第２吸込具で家具と家具の間の狭いところの掃除を行うことができるようになっている。
【０００５】
第２吸込具での掃除を終えた後、第２吸込具を延長管に接続したままで、第２吸込具を、第１吸込具に設けた第２吸込具収納部に押し込むと、第２吸込具が第１吸込具に係止され、再び通常の床面清掃ができるようになっている。
【０００６】
また、第２吸込具を第１吸込具に設けた第２吸込具収納部に押し込む時に、第１吸込具のローラーを回転させないようにして、被掃除面上での移動を規制するようにして、第２吸込具の収納性をよくしたものもある（例えば、特許文献２参照）。
【先行技術文献】
【特許文献】
【０００７】
【特許文献１】特許第３８８２７７１号公報
【特許文献２】特開２００８−１４８９０９号公報
【発明の概要】
【発明が解決しようとする課題】
【０００８】
しかしながら、上記特許文献１、２に開示されたような従来の電気掃除機用吸込具の構成では、第１吸込具が入らない家具と家具の間の狭いところに溜まった塵埃を吸込力により捕集することはできるが、堆積してこびりついた塵埃、また、目地に入り込んだ塵埃を除去することができず、第２吸込具に、ブラシ体を設け、堆積してこびりついた塵埃、また、目地に入り込んだ塵埃を除去するようにしたが、ブラシ体の植毛には、綿埃等の繊維質の塵埃が植毛と植毛の間に入り込み、使用者が叩く等で取り除くしかできなかった。
【０００９】
このため、繊維質の塵埃が付着したまま、第２吸込具を第１吸込具に装着して、次回使用する時まで収納されていて不潔であった。また、掃除作業中に、植毛に付着した塵埃が
電気掃除機で吸引されればよいが、他のところに付着したり、別のところに擦り付けたりして不潔であるいう課題があった。
【００１０】
本発明は、上記従来の課題を解決するもので、第１吸込具が入らない家具と家具の間の狭い所に堆積してこびりついた塵埃、また、目地に入り込んだ塵埃を除去するために第２吸込具にブラシ体を設け、この第２吸込具のブラシ体を第１吸込具に収納し、ブラシ体についた塵埃を除去し、性能、使用性のよい電気掃除機用吸込具及び、電気掃除機を提供することを目的とする。
【課題を解決するための手段】
【００１１】
上記従来の課題を解決するために、本発明の電気掃除機用吸込具は、底面に設けた吸込口より被掃除面上の塵埃を吸引する第１吸込具と、同じく被掃除面上の塵埃を吸引する先端吸気口を有すると共に、上方から前記第１吸込具に着脱自在に装着され、前記先端吸気口の上方先端に、植毛を有したブラシ体を配した第２吸込具で構成され、前記第２吸込具を前記第１吸込具に装着したときに、前記ブラシ体の根元から先端にかけて吸引風が流れる第二の通路を設けたもので、ブラシ体に付着している塵埃を掃除中に掃除機本体に吸込み、ブラシ体を使用した後に塵埃の除去を収納状態で行うことができ、清潔でお手入れの手間がいらなく、使い勝手の良い電気掃除機用吸込具を提供することができる。
【００１２】
また、本発明の電気掃除機は、電動送風機を内蔵した掃除機本体と、請求項１〜３のいずれか１項に記載の電気掃除機用吸込具と、前記掃除機本体と前記電気掃除機用吸込具とを連通するホースを備えたもので、吸引力によりブラシ体についた塵埃を除去することができ性能がよく、使い勝手のよい電気掃除機を提供することができる。
【発明の効果】
【００１３】
本発明の電気掃除機用吸込具及び電気掃除機は、先端吸気口の上方先端に植毛を有したブラシ体を配した第２吸込具を第１吸込具に装着して、前記ブラシ体の根元から先端にかけて吸引風が流れる第二の通路を設けることにより、吸引風によりブラシ体についた塵埃を除去することができ、次に使うときも初期の状態で、性能がよく、使い勝手のよいものである。
【図面の簡単な説明】
【００１４】
【図１】本発明の実施の形態１における電気掃除機用吸込具を接続した電気掃除機の全体構成を示す斜視図
【図２】同電気掃除機用吸込具の第１吸込具に対する第２吸込具の着脱を説明する斜視図
【図３】同第２吸込具の側面図
【図４】同第１吸込具に第２吸込具を装着した状態を示す断面図
【図５】本発明の実施の形態２における電気掃除機用吸込具の第１吸込具に第２吸込具を装着した状態を示す断面図
【図６】（ａ）本発明の実施の形態３における電気掃除機用吸込具の第１吸込具に第２吸込具を装着する前の状態を示す断面図、（ｂ）同第１吸込具に第２吸込具を装着した状態を示す断面図
【発明を実施するための形態】
【００１５】
第１の発明は、底面に設けた吸込口より被掃除面上の塵埃を吸引する第１吸込具と、同じく被掃除面上の塵埃を吸引する先端吸気口を有すると共に、上方から前記第１吸込具に着脱自在に装着され、前記先端吸気口の上方先端に、植毛を有したブラシ体を配した第２吸込具で構成され、前記第２吸込具を前記第１吸込具に装着したときに、前記ブラシ体の根元から先端にかけて吸引風が流れる第二の通路を設けたもので、ブラシ体に付着してい
る塵埃を掃除中に掃除機本体に吸込み、ブラシ体を使用した後に塵埃の除去を収納状態で行うことができ、清潔でお手入れの手間がいらなく、使い勝手の良い電気掃除機用吸込具を提供することができる。
【００１６】
第２の発明は、特に、第１の発明の第１吸込具は、塵埃を掻き上げる植毛を有する回転ブラシを備え、第２吸込具を前記第１吸込具に装着すると、ブラシ体が、前記回転ブラシの植毛に当たるようにしたもので、ブラシ体に付着した塵埃を掃除中に回転ブラシにより除去し、ブラシ体を使用した後に塵埃の除去を収納状態で行うことができ、清潔でお手入れの手間がいらなく、使い勝手をよくすることができる。
【００１７】
第３の発明は、特に、第１又は第２の発明の第２吸込具を第１吸込具に装着するとブラシ体を覆うフタを前記第１吸込具に開閉自在に設け、前記フタの開閉を、前記第２吸込具の前記第１吸込具への装着動作に連動させたもので、第２吸込具を第１吸込具に装着すると、ブラシ体がフタにより自動的に覆われるので見栄えが良く、かつ、ブラシ体に付着した塵埃を掃除中に回転ブラシにより除去し、ブラシ体を使用した後に塵埃の除去を収納状態で行うことができ、清潔でお手入れの手間がいらなく、使い勝手をよくすることができる。
【００１８】
第４の発明に係る電気掃除機は、電動送風機を内蔵した掃除機本体と、請求項１〜３のいずれか１項に記載の電気掃除機用吸込具と、前記掃除機本体と前記電気掃除機用吸込具とを連通するホースを備えたもので、吸引力によりブラシ体についた塵埃を除去することができ性能がよく、使い勝手のよい電気掃除機を提供することができる。
【００１９】
以下、本発明の実施の形態について、図面を参照しながら説明する。なお、この実施の形態によって本発明が限定されるものではない。
【００２０】
（実施の形態１）
本発明の実施の形態１における電気掃除機用吸込具について、図１から図４を用いて説明する。図１は、本実施の形態における電気掃除機用吸込具を接続した電気掃除機の全体構成を示す斜視図、図２は、同電気掃除機用吸込具の第１吸込具に対する第２吸込具の着脱を説明する斜視図、図３は、同第２吸込具の側面図、図４は、同第１吸込具に第２吸込具を装着した状態を示す断面図である。
【００２１】
図１において、電気掃除機１は、掃除機本体７と、一端が、ホース継ぎ手５を介して掃除機本体７に接続され、他端に手元ハンドル４を有するホース６と、ホース６の手元ハンドル４に接続される延長管２とを備え、延長管２の上流側端部には、本実施の形態における電気掃除機用吸込具３（以下「吸込具３」という）が接続されている。
【００２２】
吸込具３は、図２から図４に示すように、前記延長管２に連結するための連結管９に回動連結部８を介して吸気ヘッド３１が接続された第２吸込具１０と、第２吸込具１０が上方から着脱自在に装着される第１吸込具１１から構成されている。また、第２吸込具１０の先端吸気口１６の先端上部に、植毛２１を有したブラシ体１８を設けている。
【００２３】
第１吸込具１１に対する第２吸込具１０の着脱は、第１吸込具１１に設けられた操作レバー１３を押し下げることにより、第２吸込具１０を把持する保持具１２の把持状態が解放されて、第２吸込具１０を第１吸込具１１から離脱させることができ、第２吸込具１０を用いて、家具と家具の狭い場所の掃除ができ、保持具１２内に、第２吸込具１０を載せて軽く押圧することにより、第２吸込具１０は、第１吸込具１１に装着され、第１吸込具１１を用いて床などの被掃除面の掃除を効率よく行うことができる。
【００２４】
上記第２吸込具１０は、図３に示すように、第１吸込具１１への装着方向面となる下側面には、起毛布（起毛体）１４が貼着され、また、下面吸気口１５が開口し、それぞれの脇にも起毛布１４が貼着されている。また、先端側には、第１吸込具１１の吸込口２３に連通する先端吸気口１６が開口している。
【００２５】
第２吸込具１０には、第１吸込具１１に設けられた回転ブラシ２０を回転駆動する電動機（図示せず）に給電接続するための左右一対の給電接点１７が設けられ、掃除機本体７からの配線リードセン（図示せず）が、ホース６、手元ハンドル４、延長管２にそれぞれ配され、延長管２に第２吸込具１０の連結管９を連結すると、連結管９に設けられた給電部１９が、延長管２の先端配線（図示せず）に電気的に接続され、給電部１９から、第２吸込具１０内を配線して前記給電接点１７に配線接続されている。
【００２６】
上記起毛布１４は、シート面上に細かい毛を密集起毛させたもので、下面吸気口１５の両側を閉鎖して、下面吸気口１５からの吸塵能力を向上させ、第２吸込具１０の動きに応じて被掃除面の凹部の塵埃を掻き出し、掃除面の塵埃を下面吸気口１５に導き、掃除面を拭く作用効果を発揮すると共に、家具や掃除面を傷つけないバンパーの作用も有するものである。この第２吸込具１０に適用するのに起毛布１４が最も望ましいものであるが、同形状のブラシ、フェルト等を用いることもできる。
【００２７】
上記第１吸込具１１は、図４に内部構造を示すように、所謂パワーノズルとして構成され、ブラシやブレードなどを回転軸に取り付けた回転ブラシ２０を、電動機（図示せず）によって回転駆動し、絨毯等から塵埃を掻き出す機能を備えている。前記電動機（図示せず）への給電は、第２吸込具１０が第１吸込具１１に装着されることにより、第２吸込具１０に配設された一対の給電接点１７が、第１吸込具１１に配設された一対の受電接点２２に摺動接触することによりなされる。
【００２８】
ここで第２吸込具１０を、第１吸込具１１から取り外すと、給電接点１７から受電接点２２が離れ、電動機への電源の供給がなくなり回転ブラシ２０の回転が停止する。再度、第２吸込具１０を第１吸込具１１に取り付けると電動機への電源が供給され、回転ブラシ２０は回転を開始する。このように、第２吸込具１０を第１吸込具１１から取り外す動作で回転ブラシ２０の回転が止まるので、次の動作にスムーズに移行でき、また取り外した第１吸込具１１の回転ブラシ２０で被掃除面を傷つけることもない。
【００２９】
また、第２吸込具１０に設けた給電接点１７と、第１吸込具１１に設けた受電接点２２は、上記回動連結部８より前方の第２吸込具１０が回動しない位置に取り付けているので両接点の電気的接続は確実にでき、耐久性の向上が図れる。
【００３０】
第１吸込具１１は、回転ブラシ２０を収容した横長の吸込口２３を形成した幅広の吸込部２４と、その中央部分から後方に突出する走行部２５とを設けて、平面形状がＴの字状に形成され、図２に示すように、上面側に走行部２５の後方端から吸込部２４にかけて第２吸込具収納凹部２６が形成されている。第２吸込具収納凹部２６内の前方側には、前記吸込口２３に連通する連通口２７が開口されており、第２吸込具収納凹部２６に第２吸込具１０を装着すると、第２吸込具１０に形成された先端吸気口１６と前記連通口２７との間が連通し、掃除機本体７への空気流路が形成される。
【００３１】
図４は、第１吸込具１１に第２吸込具１０を装着した状態を示す断面図で、第１吸込具１１に第２吸込具１０が装着されると、第２吸込具収納凹部２６内の先端吸気口１６と吸込口２３から連通管９に至る空気流路を形成する。
【００３２】
また、第２吸込具１０の下面吸気口１５は、第２吸込具収納凹部２６の底面によって塞
がれるので、第２吸込具１０を第１吸込具１１に装着した状態では、吸込口２３からの吸気のみとなり、第１吸込具１１の吸塵能力が損なわれることはない。
【００３３】
図２に示すように、第１吸込具１１に形成された第２吸込具収納凹部２６は、第２吸込具１０の高さ方向寸法と略同等の深さに形成されており、これに第２吸込具１０を収容すると、図３及び図４に示すように、第１吸込具１１の上面から第２吸込具１０が少し出るのみで、家具の下に空いた空間などに容易に挿入できる扁平な第１吸込具１１に構成することができる。また、第１吸込具１１の高さは、図４に示すように第２吸込具収納凹部２６の両側にローラー３０を配設したことによっても高さ減少の効果が得られている。
【００３４】
第１吸込具１１に設けられた操作レバー１３を下方に押し下げる（足先で踏む）と、第２吸込具１０を第１吸込具１１から離脱させることができる。また、下面吸気口１５は、開放状態になるので、先端吸気口１６の下方と複数の下面吸気口１５から連結管９に至る空気流路が形成され、第２吸込具１０による集塵性能が得られる。
【００３５】
また、ブラシ体１８は、第２吸込具１０の先端吸気口１６の上方先端に設けられているが、第１吸込具１１に収納されると、植毛２１が、第１吸込具１１内部に挿入された状態になる。この装着した状態では、第２吸込具１０と第１吸込具１１の間に、空気取り入れ口Ａ３５ができ、また、回転ブラシ２０の上部の壁に空気取り入れ口Ｂ３４があるため、その間に第二の通路３６が構成される。
【００３６】
これにより、掃除中は、吸引風が床面から回転ブラシ２０により掻き出された塵埃を、連通口２７、先端吸気口１６を通り運ぶのと、もう一つ空気取り入れ口Ａ３５から入り、空気取り入れ口Ｂ３４の第二の通路３６を流れ、回転ブラシ２０、連通口２７、先端吸気口１６と流れる吸引風により、ブラシ体１８に付着した塵埃を除去する。この吸引風は、ブラシ体１８の植毛２１の根元から、先端にかけて流れ、また、ブラシ体１８の植毛２１は第二の通路３６内で壁面から離れて存在して、吸引風により植毛２１が震動して塵埃を除去することができる。
【００３７】
以上のように本実施の形態によれば、ブラシ体１８の植毛２１を、第２吸込具１０の先端吸気口１６の上方先端に設け、第１吸込具１１の内部で、空気取り入れ口Ａ３５、空気取り入れ口Ｂ３４で構成された第二の通路３６内に配することで、ブラシ体１８の植毛２１に付着した塵埃を、掃除中に掃除機本体７の吸引力で、植毛２１を振動させ除去することができ、清潔で、性能がよく、使い勝手のよい電気掃除機用吸込具を提供することができる。
【００３８】
（実施の形態２）
次に本発明の実施の形態２における電気掃除機用吸込具について、図５を用いて説明する。図５は、本実施の形態における電気掃除機用吸込具の第１吸込具に第２吸込具を装着した状態を示す断面図である。なお、上記実施の形態１における電気掃除機用吸込具と同じ部品、構成については、同一符号を付与して、その説明を割愛する。
【００３９】
本実施の形態における電気掃除機用吸込具は、図５に示すように、第２吸込具１０の先端吸気口１６の上方先端に設けられたブラシ体１８の植毛２１が、第二の通路３６内から空気取り入れ口Ｂ３４を通り、回転ブラシ２０に当たる構成としたものである。このとき、第１吸込具１１と第２吸込具１０の間に形成された空気取り入れ口Ａ３５を通して、吸引風が掃除機本体７に流れるようになっている。
【００４０】
第２吸込具１０の先端吸気口１６の上方先端に設けられたブラシ体１８の植毛２１が、第１吸込具１１に装着されると、ブラシ体１８の植毛２１は、回転ブラシ２０を配した上
面に設けられた空気取り入れ口Ｂ３４から回転ブラシ２０側へ突出し、回転ブラシ２０の植毛２０ａが植毛２１に当たり、植毛２１を震動させ、植毛２１に付着していた塵埃をおとし、第二の通路３６を構成している空気取り入れ口Ａ３５から空気取り入れ口Ｂ３４に向けて流れる吸引風により掃除機本体７に塵埃が吸引される。
【００４１】
以上のように本実施の形態における吸込具３では、ブラシ体１８の植毛２１を、第２吸込具１０の先端吸気口１６の上方先端に設け、第１吸込具１１の内部で、空気取り入れ口Ａ３５、空気取り入れ口Ｂ３４で構成された第二の通路３６内に配し、さらに、回転ブラシ２０により、植毛２１を叩くことで、吸引風で震動するだけでなく、回転ブラシ２０によっても震動させられ、ブラシ体１８の植毛２１に付着した塵埃を掃除中に掃除機本体７の吸引力で確実に除去することができ、清潔で、性能がよく、使い勝手のよい電気掃除機用吸込具を提供することができる。
【００４２】
（実施の形態３）
次に、本発明の実施の形態３における電気掃除機用吸込具について、図６を用いて説明する。図６（ａ）は、本実施の形態における電気掃除機用吸込具の第１吸込具に第２吸込具を装着する前の状態を示す断面図、図６（ｂ）は、同第１吸込具に第２吸込具を装着した状態を示す断面図である。なお、上記実施の形態１、２における電気掃除機用吸込具と同じ部品、構成については、同一符号を付与して、その説明を割愛する。
【００４３】
図６（ａ）において、第２吸込具１０の先端吸気口１６の先端上部には、植毛２１を有したブラシ体１８が設けられている。第１吸込具１１には、回動軸３３を中心に回転するフタ３７を設け、フタ３７には、クランク３９が取り付けられるようにクランク保持部Ａ４０がある。
【００４４】
クランク３９の他端は、ボタン４１のクランク保持部Ｂ（図示せず）に取り付けられている。ボタン４１は、回転ブラシ２０の上壁にバネ２８に付勢されて突出した状態となっている。ボタン４１が上下動することにより、クランク３９が、ボタン４１の動きに連動して動きフタ３７を回動軸３３中心に回動させるようになっている。回転ブラシ２０の上壁には空気取り入れ口Ｂ３４が設けられている。
【００４５】
図６（ｂ）に示すように、第１吸込具１１に第２吸込具１０を装着すると、第２吸込具１０の先端吸気口１６の先端上部に設けた植毛２１を有したブラシ体１８により、ボタン４１が押され、クランク３９が動き、フタ３７を動かしてブラシ体１８が外から見えないように覆っている。また、第１吸込具１１と第２吸込具１０の間に、空気取り入れ口Ａ３５ができ、掃除機本体７の吸引風を空気取り入れ口Ａ３５から空気取り入れ口Ｂ３４に流す第二の通路３６を構成し、また、ブラシ体１８の植毛２１を、空気取り入れ口Ｂ３４を通して回転ブラシ２０に当てるようにしている。
【００４６】
以上のように、本実施の形態における電気掃除機用吸込具によれば、第１吸込具１１に第２吸込具１０を装着すると、その装着動作に連動して、ブラシ体１８により、ボタン４１が押され、クランク３９が動き、フタ３７を動かしてブラシ体１８が外から見えないように覆い、かつ、ブラシ体１８の植毛２１は、回転ブラシ２０に当たり、空気取り入れ口Ａ３５から空気取り入れ口Ｂ３４に流す第二の通路３６も構成されるため、フタ３７を開閉させることにより、使用者が装着するときに、ブラシ体１８の植毛２１を簡単に第１吸込具１１に装着させることができ、また、ブラシ体１８の植毛２１に付着した塵埃を、吸引風で震動するだけでなく、回転ブラシ２０によっても震動させられ、掃除中に掃除機本体７の吸引力で除去することができ、清潔で、性能がよく、使い勝手のよい電気掃除機用吸込具を提供することができる。
【産業上の利用可能性】
【００４７】
以上のように、本発明に係る電気掃除機用吸込具及び電気掃除機は、先端吸気口の上方先端に植毛を有したブラシ体を配した第２吸込具を前記第１吸込具に装着した状態で電気掃除機を運転中に、ブラシ体についた塵埃を除去することができ、次に使うときも初期の状態で、性能がよく、使い勝手のよいもので、一般家庭用の電気掃除機のみならず、産業用の電気掃除機にも広範囲に利用することができる。
【符号の説明】
【００４８】
３  電気掃除機用吸込具（吸込具）
７  掃除機本体
１０  第２吸込具
１１  第１吸込具
１６  先端吸気口
１８  ブラシ体
２０ａ、２１  植毛
２３  吸込口
３６  第二の通路
４１  ボタン
【図１】
2013094209.tif 000003
【図２】
2013094209.tif 000004
【図３】
2013094209.tif 000005
【図４】
2013094209.tif 000006
【図５】
2013094209.tif 000007
【図６】
2013094209.tif 000008